(57)【要約】【課題】氷保存部で一つの氷移送ユニットにより用途に応じて氷を選択的に分配して供給することができるので、材料費を節減することができ、氷保存部の構造を単純化することができる冷蔵庫を提供する。【解決手段】本発明は、冷凍室と前記冷凍室を開閉する冷凍室ドアを含む冷蔵庫に関する。前記冷凍室に備えられ、一側に開口部が形成された氷保存容器と、前記氷保存容器に保存された角氷を受けてかき氷を作る氷削部と、前記開口部に回転可能に備えられた回転ブレードと、前記開口部に排出された角氷及び前記回転ブレードによって粉砕された砕氷が吐出される第１吐出部、及び前記開口部に排出された角氷が前記回転ブレードによって回転移送されて前記氷削部に流入するように前記氷削部と連通された第２吐出部と、前記第１吐出部と前記第２吐出部をそれぞれ開閉する第１吐出レバー及び第２吐出レバーとを含み、前記第２吐出レバーは、かき氷の吐出の際に前記第２吐出部を開放することを特徴とする。【選択図】図４
2006313063.tif 000002
【特許請求の範囲】
【請求項１】
冷凍室と前記冷凍室を開閉する冷凍室ドアを含む冷蔵庫において、
前記冷凍室に備えられ、一側に開口部が形成された氷保存容器と、
前記氷保存容器に保存された角氷を受けてかき氷を作る氷削部と、
前記開口部に回転可能に備えられた回転ブレードと、
前記開口部に排出された角氷及び前記回転ブレードによって粉砕された砕氷が吐出される第１吐出部、及び前記開口部に排出された角氷が前記回転ブレードによって回転移送されて前記氷削部に流入するように前記氷削部と連通された第２吐出部と、
前記第１吐出部と前記第２吐出部をそれぞれ開閉する第１吐出レバー及び第２吐出レバーと
を含み、
前記第２吐出レバーは、かき氷の吐出の際に前記第２吐出部を開放することを特徴とする冷蔵庫。
【請求項２】
前記氷保存容器に備えられた駆動モーターと、一端が前記駆動モーターに結合され、他端が前記開口部に向けて延長配置された回転軸と、前記回転軸に回転可能に結合され、前記氷保存容器内の角氷を前記開口部に向けて移送させる螺旋羽とを有する氷移送ユニットをさらに含むことを特徴とする請求項１に記載の冷蔵庫。
【請求項３】
前記回転ブレードは、相互に等角度をなして配置される複数個の刃を有し、複数個で備えられて前記回転軸の他端に相互に所定間隔を置いて離隔して配置されることを特徴とする請求項２に記載の冷蔵庫。
【請求項４】
前記複数の回転ブレードの回転半径内に前記各回転ブレードとずれるように備えられ、前記回転ブレードによって加圧移送された角氷を砕氷に粉砕する少なくとも一つの固定ブレードをさらに含むことを特徴とする請求項３に記載の冷蔵庫。
【請求項５】
前記固定ブレードは、前記回転軸から鉛直下方に延長形成された棒状を有することを特徴とする請求項４に記載の冷蔵庫。
【請求項６】
前記各吐出レバーを駆動するレバー駆動部をさらに含むことを特徴とする請求項５に記載の冷蔵庫。
【請求項７】
前記レバー駆動部は、前記氷保存容器に保存された角氷をそのまま吐出する場合、前記第１吐出レバーを前記第１吐出部が開放される開放位置に回動させ、前記第２吐出レバーを前記第２吐出部が閉鎖される閉鎖位置に回動させることを特徴とする請求項６に記載の冷蔵庫。
【請求項８】
前記レバー駆動部は、砕氷の吐出の際、前記第１吐出レバー及び前記第２吐出レバーを前記第１吐出部及び前記第２吐出部を閉鎖する閉鎖位置に回動させることを特徴とする請求項６に記載の冷蔵庫。
【請求項９】
前記レバー駆動部は、かき氷の吐出の際、前記第１吐出レバーを前記第１吐出部が閉鎖される閉鎖位置に回動させ、前記第２吐出レバーを前記第２吐出部が開放される開放位置に回動させることを特徴とする請求項６に記載の冷蔵庫。
【請求項１０】
前記氷削部は、かき氷排出部が備えられた固定トレーと、前記かき氷排出部に備えられた刃と、前記固定トレーに回転可能に備えられて前記固定トレーに流入した角氷を前記刃に向けて移送加圧する回転トレーとを含むことを特徴とする請求項１に記載の冷蔵庫。
【請求項１１】
前記冷凍室ドアに備えられたディスペンサー部と、
前記冷凍室ドアに備えられ、前記かき氷排出部及び前記第１吐出部から吐出された氷を前記ディスペンサー部に案内するアイスダクトと
をさらに含むことを特徴とする請求項１に記載の冷蔵庫。
【請求項１２】
冷凍室と前記冷凍室を開閉する冷凍室ドアを含む冷蔵庫において、
前記冷凍室に備えられ、一側に開口部が形成された氷保存容器と、
前記氷保存容器に保存された角氷を受けてかき氷を作る氷削部と、
前記開口部に回転可能に備えられ、所定角度をなす３つ以上の刃を有する回転ブレードと、
前記開口部に排出された角氷及び前記回転ブレードによって粉砕された砕氷が吐出される第１吐出部、及び前記開口部に排出された角氷が前記回転ブレードによって回転移送されて前記氷削部に流入するように前記氷削部と連通された第２吐出部と、
前記第１吐出部及び前記第２吐出部をそれぞれ開閉する第１吐出レバー及び第２吐出レバーと
を含むことを特徴とする冷蔵庫。
【請求項１３】
前記氷保存容器に備えられた駆動モーターと、一端が前記駆動モーターに結合され、他端が前記開口部に向けて延長配置された回転軸と、前記回転軸に回転可能に結合され、前記氷保存容器内の角氷を前記開口部に向けて移送させる螺旋羽とを有する氷移送ユニットをさらに含むことを特徴とする請求項１２に記載の冷蔵庫。
【請求項１４】
前記回転ブレードは、相互に等角度をなして配置される３つの刃を有し、複数個で備えられて前記回転軸の他端に相互に所定間隔を置いて離隔して配置されることを特徴とする請求項１３に記載の冷蔵庫。
【請求項１５】
前記複数の回転ブレードの回転半径内に前記各回転ブレードとずれるように備えられ、前記回転ブレードによって加圧移送された角氷を砕氷に粉砕する少なくとも一つの固定ブレードをさらに含むことを特徴とする請求項１４に記載の冷蔵庫。
【請求項１６】
前記第２吐出部は、前記開口部の鉛直下方に備えられ、前記第１吐出部は前記開口部に排出された氷が前記回転ブレードによって回転移送されて前記氷削部に排出されるように前記第１吐出部の一側に備えられ、
前記固定ブレードは、一端が前記回転軸に結合され、他端が前記第１吐出部に向けて折曲された‘Ｌ'字状で備えられることを特徴とする請求項１５に記載の冷蔵庫。
【請求項１７】
前記各吐出レバーを駆動するレバー駆動部を含むことを特徴とする請求項１５に記載の冷蔵庫。
【請求項１８】
前記レバー駆動部は、前記氷保存容器に保存された角氷をそのまま吐出する場合、前記第１吐出レバーを前記第１吐出部が開放される開放位置に回動させ、前記第２吐出レバーを前記第２吐出部が閉鎖される閉鎖位置に回動させることを特徴とする請求項１７に記載の冷蔵庫。
【請求項１９】
前記レバー駆動部は、砕氷の吐出の際、前記第１吐出レバー及び前記第２吐出レバーを前記第１吐出部及び前記第２吐出部を閉鎖する閉鎖位置に回動させることを特徴とする、請求項１７に記載の冷蔵庫。
【請求項２０】
前記レバー駆動部は、かき氷の吐出の際、前記第１吐出レバーを前記第１吐出部が閉鎖される閉鎖位置に回動させ、前記第２吐出レバーは前記第２吐出部が開放される開放位置に回動させることを特徴とする請求項１７に記載の冷蔵庫。
【請求項２１】
冷凍室、前記冷凍室を開閉する冷凍室ドア、及び前記冷凍室ドアに備えられたディスペンサー部を含む冷蔵庫において、
前記冷凍室に備えられ、角氷を保存し、一側に開口部が形成された氷保存容器と、
前記氷保存容器内の角氷を受けてかき氷を作る氷削部と、
前記ディスペンサー部に角氷が供給されるように前記開口部と連通された角氷吐出部を有する角氷供給部と、
前記ディスペンサー部に砕氷が供給されるように、前記開口部に排出された角氷が前記開口部に備えられた回転ブレードによって粉砕され排出される砕氷吐出部を有する砕氷供給部と、
前記開口部と連通され、前記氷削部に角氷を排出する氷削部氷供給部と
を含むことを特徴とする冷蔵庫。
【発明の詳細な説明】
【技術分野】
【０００１】
本発明は冷蔵庫に関し、特に氷保存部に保存された氷を選択的に分配して供給することができる冷蔵庫に関する。
【背景技術】
【０００２】
一般的に、冷蔵庫は、肉、魚などのように結氷温度以下の冷凍食品を保管するための冷凍室と、果物、野菜のように結氷温度以上の冷蔵食品を保管するための冷蔵室に区画されて備えられる。
【０００３】
冷凍室には、冷凍室を循環する冷気を利用して一定の大きさの氷を作るための製氷装置と、製氷された氷が保存される氷保存部が備えられている。氷保存部に保存された氷は用途に応じて角氷または砕氷に粉砕されて外部に排出されるが、このような氷保存部の氷排出構造については、特許文献１などに開示されている。
一方、最近では、家庭で氷小豆のような食品を作ることができるように、かき氷に対する需要が次第に増加している。しかし、従来の冷蔵庫にはこのようなかき氷の供給機能自体が備えられていない。
【０００４】
また、従来の冷蔵庫は、氷保存部に角氷及び砕氷を排出するための一つの吐出部だけが形成されていて、氷削機のような追加的装置によって氷を供給することができず、別途の氷削機をそのまま冷蔵庫に装着して使用することもできないという問題点がある。一方、氷削機用氷保存部を別途に備えて氷を供給する場合には、これによる材料費が必要となり、複雑な構造のために不良の発生が頻繁になるという問題点がある。
【０００５】
【特許文献１】韓国特許出願第１９９８−００４９６１５号明細書
【発明の開示】
【発明が解決しようとする課題】
【０００６】
そこで、本発明の目的は、氷保存部内の氷を一つの氷移送ユニットにより用途に応じて選択的に分配して供給することができる冷蔵庫を提供することにある。
また、本発明の他の目的は、角氷の粉砕時に支持強度を向上させながらも氷削部への氷供給が円滑に行われるように、形状が改善された回転ブレード及び固定ブレードを有する冷蔵庫を提供することにある。
【課題を解決するための手段】
【０００７】
前記目的は、本発明によって、冷凍室と前記冷凍室を開閉する冷凍室ドアを含む冷蔵庫において、前記冷凍室に備えられ、一側に開口部が形成された氷保存容器と、前記氷保存容器に保存された角氷を受けてかき氷を作る氷削部と、前記開口部に回転可能に備えられた回転ブレードと、前記開口部に排出された角氷及び前記回転ブレードによって粉砕された砕氷が吐出される第１吐出部と、前記開口部に排出された角氷が前記回転ブレードによって回転移送されて前記氷削部に流入するように前記氷削部と連通された第２吐出部と、前記第１吐出部と前記第２吐出部をそれぞれ開閉する第１吐出レバー及び第２吐出レバーとを含み、前記第２吐出レバーは、かき氷の吐出の際に前記第２吐出部を開放する冷蔵庫によって達成される。
【０００８】
前記氷保存容器に備えられた駆動モーターと、一端が前記駆動モーターに結合され、他端が前記開口部に向けて延長配置された回転軸と、前記回転軸に回転可能に結合されて前記氷保存容器内の角氷を前記開口部に向けて移送させる螺旋羽とを有する氷移送ユニットをさらに含むことができる。
前記回転ブレードは、相互に等角度をなして配置される複数個の刃を有し、複数個で備えられ、前記回転軸の他端に相互に所定間隔を置いて離隔して配置されるようにすることができる。
【０００９】
前記複数の回転ブレードの回転半径内に前記各回転ブレードとずれるように備えられ、前記回転ブレードによって加圧移送された角氷を砕氷に粉砕する少なくとも一つの固定ブレードをさらに含むことができる。
前記固定ブレードは、前記回転軸から鉛直下方に延長形成された棒状を有することができる。
前記各吐出レバーを駆動するレバー駆動部をさらに含むことができる。
【００１０】
前記レバー駆動部は、前記氷保存容器に保存された角氷をそのまま吐出する場合、前記第１吐出レバーを前記第１吐出部が開放される開放位置に回動させ、前記第２吐出レバーは前記第２吐出部が閉鎖される閉鎖位置に回動させることができる。
前記レバー駆動部は、砕氷の吐出の際、前記第１吐出レバー及び前記第２吐出レバーが前記第１吐出部及び前記第２吐出部を閉鎖する閉鎖位置に回動させることができる。
前記レバー駆動部は、かき氷の吐出の際、前記第１吐出レバーを前記第１吐出部が閉鎖される閉鎖位置に回動させ、前記第２吐出レバーは前記第２吐出部が開放される開放位置に回動させることができる。
【００１１】
前記氷削部は、かき氷排出部が備えられた固定トレーと、前記かき氷排出部に備えられた刃と、前記固定トレーに回転可能に備えられ、前記固定トレーに流入した角氷を前記刃に向けて移送加圧する回転トレーとを含むことができる。
前記冷凍室ドアに備えられたディスペンサー部と、前記冷凍室ドアに備えられ、前記かき氷排出部及び前記第１吐出部から吐出された氷を前記ディスペンサー部に案内するアイスダクトをさらに含むことができる。
【００１２】
一方、前記目的は、本発明によって、冷凍室と前記冷凍室を開閉する冷凍室ドアを含む冷蔵庫において、前記冷凍室に備えられ、一側に開口部が形成された氷保存容器と；前記氷保存容器に保存された角氷を受けてかき氷を作る氷削部と；前記開口部に回転可能に備えれ、所定角度をなす３つ以上の刃を有する回転ブレードと；前記開口部に排出された角氷及び前記回転ブレードによって粉砕された砕氷が吐出される第１吐出部、及び前記開口部に排出された角氷が前記回転ブレードによって回転移送されて前記氷削部に流入するように前記氷削部と連通された第２吐出部と；前記第１吐出部及び前記第２吐出部をそれぞれ開閉する第１吐出レバー及び第２吐出レバーとを含む冷蔵庫によっても達成される。
【００１３】
前記氷保存容器に備えられた駆動モーターと、一端が前記駆動モーターに結合され、他端が前記開口部に向けて延長配置された回転軸と、前記回転軸に回転可能に結合され、前記氷保存容器内の角氷を前記開口部に向けて移送させる螺旋羽とを有する有する氷移送ユニットをさらに含むことができる。
前記回転ブレードは、相互に等角度をなして配置される３つの刃を有し、複数個で備えられ、前記回転軸の他端に相互に所定間隔を置いて離隔して配置されるようにすることができる。
【００１４】
前記複数の回転ブレードの回転半径内に前記各回転ブレードとずれるように備えられ、前記回転ブレードによって加圧移送された角氷を砕氷に粉砕する少なくとも一つの固定ブレードをさらに含むことができる。
前記第２吐出部は前記開口部の鉛直下方に備えられ、前記第１吐出部は前記開口部に排出された氷が前記回転ブレードによって回転移送されて前記氷削部に排出されるように前記第１吐出部の一側に備えられ、前記固定ブレードは、一端が前記回転軸に結合され、他端が前記第１吐出部に向けて折曲された‘Ｌ'字状で備えられることができる。
【００１５】
前記各吐出レバーを駆動するレバー駆動部を含むことができる。
前記レバー駆動部は、前記氷保存容器に保存された角氷をそのまま吐出する場合、前記第１吐出レバーを前記第１吐出部が開放される開放位置に回動させ、前記第２吐出レバーは前記第２吐出部が閉鎖される閉鎖位置に回動させることができる。
【００１６】
前記レバー駆動部は、砕氷の吐出の際、前記第１吐出レバー及び前記第２吐出レバーが前記第１吐出部及び前記第２吐出部を閉鎖する閉鎖位置に回動させることができる。
前記レバー駆動部は、かき氷の吐出の際、前記第１吐出レバーを前記第１吐出部が閉鎖される閉鎖位置に回動させ、前記第２吐出レバーは前記第２吐出部が開放される開放位置に回動させることができる。
【００１７】
一方、前記目的は、本発明によって、冷凍室、前記冷凍室を開閉する冷凍室ドア、及び前記冷凍室ドアに備えられたディスペンサー部を含む冷蔵庫において、 前記冷凍室に備えられて角氷を保存し、一側に開口部が形成された氷保存容器と；前記氷保存容器内の角氷を受けてかき氷を作る氷削部と；前記ディスペンサー部に角氷が供給されるように前記開口部と連通された角氷吐出部を有する角氷供給部と；前記ディスペンサー部に砕氷が供給されるように、前記開口部に排出された角氷が前記開口部に備えられた回転ブレードによって粉砕され排出される砕氷吐出部を有する砕氷供給部と；前記開口部と連通され、前記氷削部に角氷を排出する氷削部氷供給部とを含む冷蔵庫によっても達成される。
【発明の効果】
【００１８】
本発明によれば、本発明による冷蔵庫は、氷保存部に保存された氷を一つの氷移送ユニットにより用途に応じて選択的に分配供給することができるので、材料費が節減され、氷保存部の構造を単純化することができる。
また、回転ブレード及び固定ブレードの形状を改善することによって、氷の粉砕時に支持強度を向上させながらも氷削部への氷供給が円滑に行われる。
【発明を実施するための最良の形態】
【００１９】
以下、添付した図面を参照して、本発明の好ましい実施形態について詳しく説明する。説明に先立って、本発明の好ましい実施形態を説明するに当たって、サイドバイサイド（Ｓｉｄｅ  ｂｙ  Ｓｉｄｅ）方式の冷蔵庫を例に挙げて説明するが、本発明の適用がこれに限定されるわけでないことを予め明らかにしておく。
【００２０】
［第１実施形態］（図３乃至図６）
本発明による冷蔵庫は、冷凍室３と、冷凍室３に備えられ、一側に開口部が形成された氷保存容器１１と、氷保存容器１１に保存された角氷を受けてかき氷を作る氷削部８０と、回転ブレード４１と、第１吐出部３１及び第２吐出部３３が形成された前面カバー３０と、第１吐出部３１を開閉する第１吐出レバー５１と、第２吐出部３３を開閉する第２吐出レバー５３とを含む。
ここで、本発明による冷蔵庫は、氷移送ユニット２０と、レバー駆動部５５及び固定ブレード４５のうちの一つ以上をさらに含むことができる。
【００２１】
図１を参照すると、本発明の第１実施形態による冷蔵庫は、中間隔壁によって冷蔵室２及び冷凍室３が左右に区画されている。各冷蔵室２及び冷凍室３の前面開口には、前記開口を開閉するための冷蔵室ドア４及び冷凍室ドア５が備えられており、各ドア４、５の内側には瓶類などを収納することができるドアガイド６が上下に配置されている。また、冷蔵室２内には、上部に冷蔵室２内を区画する複数の棚７が上下に配置されており、下部には複数の収納引き出し８が備えられている。
【００２２】
冷凍室３には、上部に製氷のための製氷装置が設置された製氷室７０（図２参照）が区画されており、冷凍室ドア５の前面には製氷室７０で製氷された氷と、外部からの飲み水の供給を受けることができるディスペンサー部６０が備えられる。ディスペンサー部６０には、飲み水の供給のためのウォーターレバー６１と、氷を供給するためのアイスレバー６３が備えられる。また、ディスペンサー部６０の上部には、使用者が角氷、砕氷または氷小豆用かき氷などを選択することができる複数の選択キーが備えられた操作パネル６５が設けられている。
【００２３】
図２を参照すると、製氷室７０内には外部から供給された水が保存される製氷トレー７１が設置され、製氷トレー７１の下部には製氷トレー７１から離氷された氷が保存される氷保存部１０が備えられている。製氷トレー７１の一側には製氷トレー７１を所定角度で回動させて、製氷された氷を離氷する離氷モーター７５と、氷保存部１０が満氷であるかどうかを感知する満氷感知レバー７３とが設置されている。
【００２４】
図３を参照すれば、本発明による氷保存部１０は、開口部１２が形成された氷保存容器１１と、氷保存容器１１内の氷を開口部１２に向けて移送する氷移送ユニット２０と、複数の吐出部３１、３３が形成された前面カバー３０と、複数の吐出部３１、３３を開閉する吐出レバー５１、５３と、保存された氷を粉砕する固定ブレード４５及び回転ブレード４１とを含む。
【００２５】
氷保存容器１１は冷凍室３に備えられて氷を保存し、保存された氷を外部に吐出するための開口部１２を有する。氷保存容器１１は内部に製氷トレー７１から離氷された氷が保存できるように保存空間が形成されている。
開口部１２は、氷保存容器１１の一側に形成され、保存された氷が外部に排出されるようにする。開口部１２は多様な形状及び大きさで備えられることができる。例えば、円形状を有することもでき、図３に示されたように大体半円形状で備えることもできる。
【００２６】
案内筒１４は、開口部１２側に移送された氷が集まって固まることによって開口部１２が詰まることを防止するように備えられる。案内筒１４は多様な大きさ及び形状を有することができ、開口部１２の形状及び大きさに対応して備えることができる。
氷移送ユニット２０は、氷保存容器１１に備えられた駆動モーター２１と、開口部１２に向けて延長配置される回転軸２３と、回転軸２３に結合されて回転しながら氷保存部１０内の氷を開口部１２に向けて押し出す螺旋羽２５とを含む。
【００２７】
駆動モーター２１は、氷保存容器１１の一側に備えられ、回転軸２３に駆動力を伝達する。
回転軸２３は、一端が駆動モーター２１に結合され、他端が開口部１２に向けて延長形成されて備えられる。回転軸２３は、駆動モーター２１から駆動力の伝達を受けて螺旋羽２５を回転させ、他端に結合された回転ブレード４１に駆動力を伝達する。
【００２８】
螺旋羽２５は、回転軸２３に回転可能に結合され、回転しながら氷保存容器１１内の氷を開口部１２に向けて押し出す。
螺旋羽２５は多様な形状で備えることができる。例えば、図３に示されるように、回転軸２３の半径方向に一体と形成された螺旋面で備えることができ、回転軸２３自体を螺旋状で形成することもできる。
【００２９】
前面カバー３０は、開口部１２に備えられ、開口部１２に排出された氷を複数の位置に案内する複数の吐出部３１、３３を有する。前面カバー３０は、必要に応じて多様な形状を有して備えることができる。例えば、図３に示されたように、回転ブレード４１及び固定ブレード４５によって粉砕される砕氷が氷保存部１０の周りに飛散しないように、吐出部３１、３３を除いた開口部１２側を取り囲むように備えることができる。一方、前面カバー３０は、各吐出部３１、３３を区画する区画板３７をさらに含むことができる。ここで、前面カバー３０は、必要な氷の用途に応じて３つ以上の吐出部を有することができ、形成される吐出部の位置も多様に変更可能である。
【００３０】
吐出レバー５１、５３は複数の吐出部３１、３３を開閉する。吐出レバー５１、５３は、例えば、一端が氷保存容器１１に回動可能に結合されて、回動しながら各吐出部３１、３３を開閉するように備えることができる。
【００３１】
吐出レバー５１、５３は、吐出部３１、３３の数に対応して備えることができる。例えば、吐出部３１、３３が２つ備えられる場合には、吐出レバー５１、５３は２つ備えることができる。もし、角氷と砕氷をそれぞれ別途の吐出部３１、３３を通じて排出しようとする場合には、吐出レバー５１、５３は３つ備えることもできる。勿論、用途に応じて４つ以上、備えることができるのは勿論である。ここで、吐出レバー５１、５３は各吐出部３１、３３を同時に開閉するか、またはいずれか一つだけを選択的に開閉することができる。
【００３２】
レバー駆動部５５は各吐出レバー５１、５３を駆動するように備えられる。レバー駆動部５５は、吐出レバー５１、 ５３の開閉方式によって多様に備えることができる。例えば、吐出レバー５１、５３が図３のように備えられる場合には、レバー駆動部５５はソレノイドバルブで備えられることができる。
回転ブレード４１は、回転軸２３の他端に回転可能に結合され、回転しながら開口部１２を通過した角氷を固定ブレード４５に向けて加圧移送する。回転ブレード４１には、各刃の回転方向の前方へ角氷の粉砕を容易にするための多数の鋭い突起を形成することができる。
【００３３】
回転ブレード４１は、必要に応じて多様な数だけ備えることができる。一つだけ備えることもでき、複数個で備えることもできる。複数個で備える場合、各回転ブレード４１は並んで配置されることもでき、相互に所定の角度だけ回動されたままで備えることもできる。
回転ブレード４１は、等角度をなして配置される複数個の刃を有することができる。例えば、図３に示されたように２つ、備えることができる。
【００３４】
固定ブレード４５は、回転ブレード４１の回転半径内に回転ブレード４１の回転に影響を与えないように回転ブレード４１とずれるように備えられる。固定ブレード４５は、回転ブレード４１によって収容され移送されたきた角氷を回転ブレード４１の回転力を利用して砕氷に粉砕する。
固定ブレード４５は、角氷が対向する面に多数の鋭い突起を持つことができる。固定ブレード４５は必要によって多様な数だけ備えることができる。
【００３５】
本発明の第１実施形態による固定ブレード４５は、回転ブレード４１によって汲み上げられて移送された角氷が第２吐出部３３に落下することを阻害しない限り、多様な形状で備えることができる。例えば、図３に示されたように、回転軸２３から鉛直下方に延長形成された棒状で備えることができる。このような形状によって、図６に示されたように、回転ブレード４１によって移送された氷は、固定ブレード４５から全然影響を受けずに氷削部８０に流入することができる。
【００３６】
氷削部８０は、第２吐出部３３と連通され、氷保存容器１１から排出された角氷を受けてかき氷を作る。
氷削部８０は、例えば、図１１に示されたように、かき氷排出部８６が形成された固定トレー８２と、かき氷排出部８６に備えられた刃８４と、固定トレー８２に回転可能に備えられ、固定トレー８２内に収容された角氷を刃８４に向けて移送加圧する回転トレー８３とを含んで構成されることができる。一方、前記氷削部８０を駆動するための駆動部９０を備えることができる。
【００３７】
上記のような構成によって、第２吐出部３３と連通された氷流入口８３ｂを通じて角氷が固定トレー８２に収容されれば、駆動部９０によって回転される回転トレー８３の回転刃８３ａが角氷を刃８４に向けて移送加圧する。刃８４によって氷削されたかき氷はかき氷排出部８６に排出される。
氷削部８０は、氷保存容器１１が設置される支持部材９１に着脱可能に備えられる。支持部材９１には氷削部８０が収容される収容部９６が備えられる。固定トレー８２の外周面には係止突起８９ａが備えられ、収容部９６には係止突起８９ａが収容される収容溝８９ｂが備えられる。
【００３８】
前述した構成を有する本発明の第１実施形態による冷蔵庫の氷供給過程について、図４乃至図６を参照して説明すると、次の通りである。
＜角氷の吐出時＞（図４）
まず、第１吐出部３１は、開口部１２の下部に備えられ、開口部１２に排出された氷がアイスダクト９にすぐ流入するように備えられれば、固定ブレード４５を間に置いて左側には氷削部８０と連通された第２吐出部３３が備えられている。
【００３９】
使用者が操作パネル６５を通じて角氷を選択してアイスレバー６３を押せば、駆動モーター２１に電源が供給されて駆動モーター２１が駆動される。駆動モーター２１はこれと結合された回転軸２３を回転させ、螺旋羽２５が回転軸２３によって回転しながら氷保存容器１１内の角氷を開口部１２に向けて押し出す（図３参照）。
角氷の吐出時の各吐出レバー５１、５３の位置は、次の通りである。第１吐出レバー５１は第１吐出部３１が開放されるように回動されており、第２吐出レバー３３は第２吐出部３３が閉鎖された状態を維持するように位置している。
【００４０】
従って、氷移送ユニット２０によって開口部１２に移送された角氷は、回転ブレード４１と固定ブレード４５との間を通過して第１吐出部３１に吐出される（矢印参照）。
＜砕氷の吐出時＞（図５）
砕氷が吐出される場合においても、操作パネル６５を通じた砕氷の選択後から氷保存容器１１内の氷が開口部１２に排出されるまでの作動過程は、前述した角氷の場合と同一である。
【００４１】
砕氷の吐出時の各吐出レバー５１、５３の位置を説明すれば、第１吐出レバー５１及び第２吐出レバー５３は、第１吐出部３１及び第２吐出部３３をそれぞれ閉鎖する閉鎖位置にある。従って、螺旋羽２５によって開口部１２に押し出された角氷は、回転ブレード４１によって収容され回転される（図中の方向(1)及び(2)参照）。
一方、第２吐出部３３も第２吐出レバー５３によって閉鎖された状態にあるので、氷移送ユニット２０によって移送された氷は固定ブレード４５まで加圧移送されて砕氷に粉砕され（図中で方向(3)参照）、粉砕された砕氷は固定ブレード４５の間を通して第１吐出部３１に吐出される（図中の方向(4)参照）。
【００４２】
＜かき氷の吐出時＞（図６）
かき氷の吐出時の第１吐出レバー５１は、第１吐出部３１を閉鎖している閉鎖位置にある。従って、氷移送ユニット２０によって開口部１２に押し出された角氷は、回転ブレード４１によって収容され移送される（図中の方向(1)参照）。
一方、第２吐出レバー５３は、第２吐出部３３を開放している開放位置に回動されている。従って、回転ブレード４１によって移送された氷は最高点を経れば、自重によって第２吐出部３３に吐出される（図中の方向(2),(3)参照）。ここで、固定ブレード４５は垂直に長い棒状を有するように備えられるので、第２吐出部３３に向ける角氷は固定ブレード４５により阻害を受けないようになる。
【００４３】
以後、角氷はかき氷装置４０でかき氷に粉砕された後、アイスダクト９に排出されて使用者に供給される。
従って、本発明の第１実施形態による冷蔵庫によれば、一つの氷保存容器１１と、一つの氷移送ユニット２０によって氷の用途に応じて複数の位置に氷を吐出することができるので、用途ごとに別途の保存容器を備える必要がなくて材料費が節減され、空間活用度が向上する。
【００４４】
［第２実施形態］（図７乃至図１０）
本発明の第２実施形態による冷蔵庫は、前述した第１実施形態における回転ブレード４２及び固定ブレード４６の形状を改善して、粉砕力を向上しながらも氷削部８０に角氷を円滑に供給することができる冷蔵庫に関する。
【００４５】
説明に先立って、第１実施形態と同一の構成要素については重複説明を避け、第１実施形態と異なる特徴について重点的に説明する。
本発明の第２実施形態による冷蔵庫は、氷保存容器１１と、氷削部８０と、 開口部１２に回転可能に備えられ、所定角度をなす３つ以上の刃を有する回転ブレード４２と、第１吐出部３１及び第２吐出部３３が形成された前面カバー３０と、複数の吐出部３１、３３を開閉する吐出レバー５１、５３とを含む。
【００４６】
本発明の第２実施形態による固定ブレード４６は、図７に示されたように、第２吐出部３３に向けて折曲された大略‘Ｌ'字状を有するように備えられる。これによって、砕氷の吐出の際に回転ブレード４２の回転力を效率的に提供することができるので、粉砕力を向上させることができ、回転力の低下による周辺部品への影響を最小化できる。
本発明の第２実施形態による回転ブレード４２は、３つ以上の刃を有して備えられる。刃の数は必要に応じて多様な数で備えることができ、例えば、３つ、備えることができる。また、回転ブレード４２に形成される各刃４２ａ、４２ｂ、４２ｃがなす角度には制限がないが、相互に等角度をなして備えられることが好ましい。
【００４７】
例えば、回転ブレード４２が３つの等角度をなして配置される刃４２ａ、４２ｂ、４２ｃを有する場合、刃４２ａ、４２ｂ、４２ｃによって回転移送される氷が自由落下する時には、先の刃が固定ブレード４６の上部に所定の下向き角度をなしながら位置するようになる。
従って、固定ブレード４６が、前述した第１実施形態と同様に垂直方向の一字型の棒状でないとしても、固定ブレード４６により阻害を受けず氷削部８０に氷を供給することが可能である。
【００４８】
ここで、前述した例の他にも、固定ブレード４６の形状及び回転ブレード４２に形成された刃４２ａ、４２ｂ、４２ｃの数及び角度は多様な変形が可能である。
前述した構成を有する本発明の第２実施形態による冷蔵庫の氷供給過程について、図８乃至図１０を参照して説明すると、次の通りである。
【００４９】
＜角氷の吐出時＞（図８）
角氷の吐出時、第１吐出レバー５１は第１吐出部３１を開放する開放位置に回動され、第２吐出レバー５３は第２吐出部３３を閉鎖する閉鎖位置を維持している。
従って、氷移送ユニット２０によって開口部１２に移送された角氷は、回転ブレード４２と固定ブレード４６との間を通過して第１吐出部３１にすぐ吐出される（矢印参照）。
【００５０】
＜砕氷の吐出時＞（図９）
砕氷の吐出時の第１吐出レバー５１及び第２吐出レバー５３は、それぞれ第１吐出部３１と第２吐出部３３を閉鎖する閉鎖位置を維持している。
従って、氷移送ユニット２０によって開口部１２に押し出された角氷は、回転する回転ブレード４２に収容され（図中の方向(1)参照）、回転ブレード４２の回転によって移送され（図中の方向(2)参照）、固定ブレード４６との間で砕氷に粉砕される（図中の方向(3)参照）。粉砕された砕氷は、第１吐出部３１を通じてアイスダクト９に吐出される（図中の方向(4)参照）。
【００５１】
＜かき氷の吐出時＞（図１０）
かき氷の吐出時、第１吐出レバー５１は第１吐出部３１を閉鎖する閉鎖位置を維持し、第２吐出レバー５３は第２吐出部３３を開放するように開放位置に回動される。
氷移送ユニット２０によって開口部１２に押し出された角氷は、回転する回転ブレード４２に収容され、回転ブレード４２の回転によって回転移送される（図中の方向(1)参照）。
【００５２】
角氷を収容して回転していた刃４２ｂが最高点の付近に至れば（図中の方向(2)参照）、 角氷は自重によって落下するようになる。この時、落下する角氷は、固定ブレード４６の上部に位置する刃４２ｃの背によって案内されて第２吐出部３３に吐出される（図中の方向(3)参照）。
同様に、後の刃４２ａが回転して現在位置に至れば、最高点にあった刃４２ｂも回転して固定ブレード４６上に位置するようになる。
【００５３】
従って、本発明の第２実施形態による冷蔵庫は、回転ブレード４２に３つ以上の刃を具備して、自重によって落下する角氷が先の刃によって案内され吐出されるようにすることによって、固定ブレード４６の形状に制限さらず円滑に角氷を氷削部８０に吐出することができる。
また、回転ブレード４２の各刃の間の空間が、２つの時より３つの時にさらに小さくなるので、回転ブレード４２によって回転移送される角氷の量の変化が少なくて、氷削部に一定量の角氷を供給することができる。
【００５４】
また、本発明の第２実施形態による冷蔵庫は、砕氷の吐出時に固定ブレード４６が回転ブレード４２の回転力を充分に提供することができるので、回転ブレード４２の回転力によって第２吐出レバー５３が開放されたり、周辺部品に変形が発生することを防止することができる。
従って、本発明による冷蔵庫は、氷保存部１０の吐出部３１、３３側に複数の吐出レバー５１、５３を設置し、これの開閉を調節することによって、氷の用途に応じて複数の位置に選択的に供給することができるようになる。
【００５５】
つまり、図４乃至図６及び図８乃至図１０に示されたように、氷削部８０に氷を供給するために別途の氷保存容器１１及び氷移送ユニット２０を備える必要がないので、材料費が節減され、別途の空間確保が不要となり、氷を分配して供給するために複雑な構成を避けることができ、これによる不良発生を防止することができる。
【００５６】
また、本発明による冷蔵庫は（かき氷の吐出時に説明したように）、氷削部８０に角氷を供給する時、角氷が開口部１２からすぐ第１吐出部３１に吐出されず、回転ブレード４１によって収容されて回転して第１吐出部３１に吐出されるので、氷保存容器１１から氷削部８０に一度に過剰の角氷が流入することを防止することができ、これによる作動不良を防止することもできる。
【図面の簡単な説明】
【００５７】
【図１】本発明による冷蔵庫の見掛けを示した斜視図である。
【図２】図１の冷蔵庫の冷凍室の側面拡大断面図である。
【図３】本発明の第１実施形態による氷保存部の斜視図である。
【図４】図３の氷保存部の前面図であって、角氷、砕氷、かき氷が吐出されるときの回転ブレード及び吐出レバーの位置を示した図である。
【図５】図３の氷保存部の前面図であって、角氷、砕氷、かき氷が吐出されるときの回転ブレード及び吐出レバーの位置を示した図である。
【図６】図３の氷保存部の前面図であって、角氷、砕氷、かき氷が吐出されるときの回転ブレード及び吐出レバーの位置を示した図である。
【図７】本発明の第２実施形態による氷保存部の斜視図である。
【図８】図７の氷保存部の前面図であって、角氷、砕氷、かき氷が吐出されるときの回転ブレード及び吐出レバーの位置を示した図である。
【図９】図７の氷保存部の前面図であって、角氷、砕氷、かき氷が吐出されるときの回転ブレード及び吐出レバーの位置を示した図である。
【図１０】図７の氷保存部の前面図であって、角氷、砕氷、かき氷が吐出されるときの回転ブレード及び吐出レバーの位置を示した図である。
【図１１】図２の氷削部の分解斜視図である。
【符号の説明】
【００５８】
２…冷蔵室
３…冷凍室
５…冷凍室ドア
９…アイスダクト
１０…氷保存部
１１…氷保存容器
１２…開口部 
１４…案内筒
２０…氷移送ユニット
３０…前面カバー
３１、３３…吐出部
４１、４２…回転ブレード
４２ａ、４２ｂ、４２ｃ…刃
４５、４６…固定ブレード
５１、５３…吐出レバー
６０…ディスペンサー部
６１…ウォーターレバー
６３…アイスレバー
６５…操作パネル
７０…製氷室
８０…氷削部
８２…固定トレー
８３…回転トレー
８４…刃
８６…かき氷排出部
９０…駆動部
【図１】
2006313063.tif 000003
【図２】
2006313063.tif 000004
【図３】
2006313063.tif 000005
【図４】
2006313063.tif 000006
【図５】
2006313063.tif 000007
【図６】
2006313063.tif 000008
【図７】
2006313063.tif 000009
【図８】
2006313063.tif 000010
【図９】
2006313063.tif 000011
【図１０】
2006313063.tif 000012
【図１１】
2006313063.tif 000013